(57)【要約】【課題】音楽コンテンツを販売するすべての店舗において、購入者が無料で音楽コンテンツを試聴できる【解決手段】携帯端末の試聴希望コンテンツ入力部が、ユーザからの試聴希望コンテンツに関する情報を入力し、近距離無線通信部が、入力された試聴希望コンテンツに関する情報を近距離無線通信装置と通信する。一方、近距離無線通信装置のコンテンツ情報送信部は、試聴希望コンテンツに関する情報をコンテンツサーバに送信し、受信部が、試聴希望コンテンツを受信して、送信部が受信した試聴希望コンテンツを携帯端末に送信する。【選択図】図１
2009207070.tif 000002
【特許請求の範囲】
【請求項１】
ユーザが保有する携帯端末と、近距離無線通信装置と、該近距離無線通信装置とネットワークを介して接続されたコンテンツサーバとを備えるコンテンツ試聴システムであって、
前記携帯端末が、
ユーザからの試聴希望コンテンツに関する情報を入力する試聴希望コンテンツ入力部と、
該入力された試聴希望コンテンツに関する情報を前記近距離無線通信装置に送信する近距離無線通信部と、
を備え、
前記近距離無線通信装置が、試聴希望コンテンツに関する情報を前記コンテンツサーバに送信するコンテンツ情報送信部と、
該試聴希望コンテンツを受信する受信部と、
該受信した試聴希望コンテンツを前記携帯端末に送信する送信部と、
を備えたことを特徴とするコンテンツ試聴システム。
【請求項２】
前記コンテンツサーバが、前記近距離無線通信装置からの試聴要求を受けて、該当するコンテンツを検索し、該コンテンツが保有されていないコンテンツである場合に、該当コンテンツが存在しない旨のメッセージを前記近距離無線通信装置を介して、前記携帯端末に通知することを特徴とする請求項１に記載のコンテンツ試聴システム。
【請求項３】
前記コンテンツサーバが、前記近距離無線通信装置から試聴要求を受けたコンテンツのサビ部分の楽曲のみを切り出したデータを前記近距離無線通信装置に送信することを特徴とする請求項１に記載のコンテンツ試聴システム。
【請求項４】
前記近距離無線通信装置における通信方式が、非接触ＩＣ通信であることを特徴とする請求項１から請求項３のいずれかに記載のコンテンツ試聴システム。
【請求項５】
課金サーバを備え、
前記前記近距離無線通信装置が、前記試聴コンテンツを購入するための課金処理を該課金サーバと行う課金処理手段を備えたことを特徴とする請求項１から請求項４のいずれかに記載のコンテンツ試聴システム。
【請求項６】
携帯端末から、試聴希望コンテンツに関する情報を近距離無線通信装置に送信する第１のステップと、
近距離無線通信装置が、携帯端末から受信した試聴希望コンテンツに関する情報をコンテンツサーバに送信する第２のステップと、
コンテンツサーバが、該当コンテンツの試聴コンテンツを検索し、存在する場合には、その試聴コンテンツを、存在しなければその旨を伝えるエラーメッセージを、近距離無線通信装置に送信する第３のステップと、
前記近距離無線通信装置が、試聴コンテンツもしくはエラーメッセージを受信し、携帯端末へ送信する第４のステップと、
携帯端末が、受信した試聴コンテンツを音楽再生デバイスで再生し、あるいは、エラーメッセージを受信した場合には、そのエラーメッセージを表示部に表示する第５のステップと、
を備えたことを特徴とするコンテンツ試聴方法。
【請求項７】
さらに、試聴後に、試聴コンテンツを購入するか否かを表示し、ユーザが購入を選択した場合に、ユーザ端末と近距離無線通信装置間で決済処理を実行する第６のステップを備えたことを特徴とするコンテンツ試聴方法。
【請求項８】
コンピュータに、
携帯端末から、試聴希望コンテンツに関する情報を近距離無線通信装置に送信する第１のステップと、
近距離無線通信装置が、携帯端末から受信した試聴希望コンテンツに関する情報をコンテンツサーバに送信する第２のステップと、
コンテンツサーバの通信制御部が、該当コンテンツの試聴コンテンツを検索し、存在する場合には、その試聴コンテンツを、存在しなければその旨を伝えるエラーメッセージを、近距離無線通信装置に送信する第３のステップと、
前記近距離無線通信装置が、試聴コンテンツもしくはエラーメッセージを受信し、携帯端末へ送信する第４のステップと、
携帯端末が、受信した試聴コンテンツを音楽再生デバイスで再生し、あるいは、エラーメッセージを受信した場合には、そのエラーメッセージを表示部に表示する第５のステップと、
を実行させるためのプログラム。
【請求項９】
さらに、試聴後に、試聴コンテンツを購入するか否かを表示し、ユーザが購入を選択した場合に、ユーザ端末と近距離無線通信装置間で決済処理を実行する第６のステップを備えたことを特徴とするプログラム。
【発明の詳細な説明】
【技術分野】
【０００１】
本発明は、コンテンツ試聴システムに関し、特に、ＣＤ等を媒体にして、音楽コンテンツの販売あるいはレンタルを行う店舗において、音楽コンテンツをユーザの所持する携帯端末で試聴できるコンテンツ試聴システムに関する。
【背景技術】
【０００２】
近年、都市やその郊外に、音楽コンテンツや映像コンテンツ、書籍等を扱う大型の店舗が多く設けられている。ところが、書籍等を購入する場合には、一部の商品を除いて、その内容を目で確かめた後に、購入の判断を行うことができるが、音楽コンテンツや映像コンテンツのようなＣＤやＤＶＤのような記録媒体にコンテンツが記録されている商品では、ジャケットを見て、アーティストや収録されている曲名、映像情報を間接的に、視認することができるだけで、その具体的な内容を簡単に知ることはできない。
【０００３】
一方で、それなりの対価を支払って、商品を購入することを考えると、購入者にとっては、間接的な情報のみで、商品を購入することには、多少なりとも、躊躇を覚える。そのための、音楽コンテンツや映像コンテンツのようなＣＤやＤＶＤのような記録媒体にコンテンツが記録されている商品では、購入前に、コンテンツの試聴を行いたいという購入者の欲求がある。
【０００４】
そうした、欲求に応えて、例えば、バーコードが添付された店舗に陳列されている商品（ＣＤパッケージ）を店内の試聴機の場所まで持っていき、試聴機の差込口にＣＤパッケージを挿入すると、バーコードが読み取られて音楽サーバが、指定されたＣＤタイトルのデータを専用の試聴機に送信し、音楽がアンプを経てヘッドホンから出力されるとともに、ジャケット画像と曲目一覧がディスプレイに表示されるようなシステムが見受けられる。
【０００５】
ところが、こうした試聴システムでは、一台の音楽サーバで多数の試聴機に対応できる点で合理的であるといえるが、音楽販売店の規模に応じた台数の試聴機を設置することになるので、かなり大きな設備投資が必要になり、設置スペースも大きくなるという問題がある。
【０００６】
こうした問題に対して、店舗にて、発行する試聴申し込みコードを用いて携帯端末に音楽サーバから試聴コンテンツをストリーミングで受信して、携帯端末にて試聴コンテンツを再生することにより、従来店舗で設置していた試聴装置に比べてコストや設置スペースを削減する技術が提案されている（例えば、特許文献１参照。）。
【特許文献１】特開２００７−２９２９２７号公報
【発明の開示】
【発明が解決しようとする課題】
【０００７】
しかしながら、上記の方法では、公衆網の電波でコンテンツを受信するために、地下などの公衆網の電波の届かない店舗では利用できないという問題点があった。また、通常は、公衆網を用いると通信量に応じて課金されるため、利用者は通信料が気になって自由に試聴できないという問題点もある。
【０００８】
そこで、本発明は、上記事情に鑑みてなされたものであり、音楽コンテンツを販売するすべての店舗において、購入者が無料で音楽コンテンツを試聴できるコンテンツ試聴システム、コンテンツ試聴方法およびプログラムを提供することを目的とする。
【課題を解決するための手段】
【０００９】
本発明は、上記した課題を解決するために以下の事項を提案している。
【００１０】
（１）本発明は、ユーザが保有する携帯端末（例えば、図１の携帯端末１に相当）と、近距離無線通信装置（例えば、図１の近距離無線通信装置２に相当）と、該近距離無線通信装置とネットワークを介して接続されたコンテンツサーバ（例えば、図１のコンテンツサーバ３に相当）とを備えるコンテンツ試聴システムであって、前記携帯端末が、ユーザからの試聴希望コンテンツに関する情報を入力する試聴希望コンテンツ入力部（例えば、図２の入力部１１に相当）と、該入力された試聴希望コンテンツに関する情報を前記近距離無線通信装置と送信する近距離無線通信部（例えば、図２の近距離無線通信部１２に相当）と、を備え、前記近距離無線通信装置が、試聴希望コンテンツに関する情報を前記コンテンツサーバに送信するコンテンツ情報送信部と、該試聴希望コンテンツを受信する受信部と、該受信した試聴希望コンテンツを前記携帯端末に送信する送信部と、を備えたことを特徴とするコンテンツ試聴システムを提案している。
【００１１】
この発明によれば、携帯端末の試聴希望コンテンツ入力部が、ユーザからの試聴希望コンテンツに関する情報を入力し、近距離無線通信部が、入力された試聴希望コンテンツに関する情報を近距離無線通信装置と通信する。一方、近距離無線通信装置のコンテンツ情報送信部は、試聴希望コンテンツに関する情報をコンテンツサーバに送信し、受信部が、試聴希望コンテンツを受信して、送信部が受信した試聴希望コンテンツを携帯端末に送信する。したがって、試聴するコンテンツを近距離無線通信により、携帯端末に配信するため、音楽コンテンツを販売するすべての店舗において、購入者が無料で音楽コンテンツを試聴できる。また、携帯電話などの公衆電波が受信できない地下などの店舗においても利用できる。
【００１２】
（２）本発明は、（１）のコンテンツ試聴システムについて、前記コンテンツサーバが、前記近距離無線通信装置からの試聴要求を受けて、該当するコンテンツを検索し、該コンテンツが保有されていないコンテンツである場合に、該当コンテンツが存在しない旨のメッセージを前記近距離無線通信装置を介して、前記携帯端末に通知することを特徴とするコンテンツ試聴システムを提案している。
【００１３】
この発明によれば、コンテンツサーバが、近距離無線通信装置からの試聴要求を受けて、該当するコンテンツを検索し、コンテンツが保有されていないコンテンツである場合に、該当コンテンツが存在しない旨のメッセージを近距離無線通信装置を介して、携帯端末に通知する。したがって、ユーザが試聴しようとするコンテンツがない場合には、その旨の通知により、他のコンテンツを素早く検索することができる。
【００１４】
（３）本発明は、（１）のコンテンツ試聴システムについて、前記コンテンツサーバが、前記近距離無線通信装置から試聴要求を受けたコンテンツのサビ部分の楽曲のみを切り出したデータを前記近距離無線通信装置に送信することを特徴とするコンテンツ試聴システムを提案している。
【００１５】
この発明によれば、コンテンツサーバが、近距離無線通信装置から試聴要求を受けたコンテンツのサビ部分の楽曲のみを切り出したデータを近距離無線通信装置に送信する。すなわち、ユーザにとっては、試聴要求を受けたコンテンツのサビ部分のみを試聴することにより、短時間で曲のイメージをつかむことができる。また、試聴できる音楽コンテンツの範囲を制限することにより、著作権法上の問題を未然に防止することができる。
【００１６】
（４）本発明は、（１）から（３）のコンテンツ試聴システムについて、前記近距離無線通信装置における通信方式が、非接触ＩＣ通信であることを特徴とするコンテンツ試聴システムを提案している。
【００１７】
この発明によれば、近距離無線通信装置における通信方式が、非接触ＩＣ通信である。したがって、ユーザは、自分の携帯端末は、近距離無線通信装置にかざすだけで、通信が可能となり、無駄な手間を省くことができる。
【００１８】
（５）本発明は、（１）から（４）のコンテンツ試聴システムについて、課金サーバ（例えば、図５の課金サーバ５に相当）を備え、前記近距離無線通信装置が、前記試聴コンテンツを購入するための課金処理を該課金サーバと行う課金処理手段を備えたことを特徴とするコンテンツ試聴システムを提案している。
【００１９】
この発明によれば、課金サーバを備え、近距離無線通信装置の課金処理手段が、試聴コンテンツを購入するための課金処理を課金サーバと行う。したがって、試聴の結果、ユーザが購入を希望する場合には、例えば、購入希望の処理を端末で行い、その情報を近距離無線通信装置に送信すれば、簡単に、決済処理を行うことができる。
【００２０】
（６）本発明は、携帯端末から、試聴希望コンテンツに関する情報を近距離無線通信装置に送信する第１のステップ（例えば、図４のステップＳ１０１に相当）と、近距離無線通信装置が、携帯端末から受信した試聴希望コンテンツに関する情報をコンテンツサーバに送信する第２のステップ（例えば、図４のステップＳ１０２に相当）と、コンテンツサーバが、該当コンテンツの試聴コンテンツを検索し、存在する場合には、その試聴コンテンツを、存在しなければその旨を伝えるエラーメッセージを、近距離無線通信装置に送信する第３のステップ（例えば、図４のステップＳ１０３に相当）と、前記近距離無線通信装置が、試聴コンテンツもしくはエラーメッセージを受信し、携帯端末へ送信する第４のステップ（例えば、図４のステップＳ１０４に相当）と、携帯端末が、受信した試聴コンテンツを音楽再生デバイスで再生し、あるいは、エラーメッセージを受信した場合には、そのエラーメッセージを表示部に表示する第５のステップ（例えば、図４のステップＳ１０５に相当）と、を備えたことを特徴とするコンテンツ試聴方法を提案している。
【００２１】
この発明によれば、携帯端末から、試聴希望コンテンツに関する情報を近距離無線通信装置に送信する。近距離無線通信装置は、携帯端末から受信した試聴希望コンテンツに関する情報をコンテンツサーバに送信し、コンテンツサーバは、該当コンテンツの試聴コンテンツを検索し、存在する場合には、その試聴コンテンツを、存在しなければその旨を伝えるエラーメッセージを、近距離無線通信装置に送信する。そして、近距離無線通信装置が、試聴コンテンツもしくはエラーメッセージを受信し、携帯端末へ送信し、携帯端末が、受信した試聴コンテンツを音楽再生デバイスで再生し、あるいは、エラーメッセージを受信した場合には、そのエラーメッセージを表示部に表示する。したがって、試聴するコンテンツを近距離無線通信により、携帯端末に配信するため、音楽コンテンツを販売するすべての店舗において、購入者が無料で音楽コンテンツを試聴できる。また、携帯電話などの公衆電波が受信できない地下などの店舗においても利用できる。さらに、エラーメッセージが表示された場合には、その旨の通知により、ユーザは、他のコンテンツを素早く検索することができる。
【００２２】
（７）本発明は、（６）のコンテンツ試聴方法について、さらに、試聴後に、試聴コンテンツを購入するか否かを表示し、ユーザが購入を選択した場合に、ユーザ端末と近距離無線通信装置間で決済処理を実行する第６のステップ（例えば、図４のステップＳ１０６、Ｓ１０７に相当）を備えたことを特徴とするコンテンツ試聴方法を提案している。
【００２３】
この発明によれば、試聴後に、試聴コンテンツを購入するか否かを表示し、ユーザが購入を選択した場合に、ユーザ端末と近距離無線通信装置間で決済処理を実行する。したがって、試聴の結果、ユーザが購入を希望する場合には、簡単に、決済処理を行うことができる。
【００２４】
（８）本発明は、コンピュータに、携帯端末から、試聴希望コンテンツに関する情報を近距離無線通信装置に送信する第１のステップ（例えば、図４のステップＳ１０１に相当）と、近距離無線通信装置が、携帯端末から受信した試聴希望コンテンツに関する情報をコンテンツサーバに送信する第２のステップ（例えば、図４のステップＳ１０２に相当）と、コンテンツサーバの通信制御部が、該当コンテンツの試聴コンテンツを検索し、存在する場合には、その試聴コンテンツを、存在しなければその旨を伝えるエラーメッセージを、近距離無線通信装置に送信する第３のステップ（例えば、図４のステップＳ１０３に相当）と、前記近距離無線通信装置が、試聴コンテンツもしくはエラーメッセージを受信し、携帯端末へ送信する第４のステップ（例えば、図４のステップＳ１０４に相当）と、携帯端末が、受信した試聴コンテンツを音楽再生デバイスで再生し、あるいは、エラーメッセージを受信した場合には、そのエラーメッセージを表示部に表示する第５のステップ（例えば、図４のステップＳ１０５に相当）と、を実行させるためのプログラムを提案している。
【００２５】
この発明によれば、携帯端末から、試聴希望コンテンツに関する情報を近距離無線通信装置に送信する。近距離無線通信装置は、携帯端末から受信した試聴希望コンテンツに関する情報をコンテンツサーバに送信し、コンテンツサーバの通信制御部は、該当コンテンツの試聴コンテンツを検索し、存在する場合には、その試聴コンテンツを、存在しなければその旨を伝えるエラーメッセージを、近距離無線通信装置に送信する。そして、近距離無線通信装置が、試聴コンテンツもしくはエラーメッセージを受信し、携帯端末へ送信し、携帯端末が、受信した試聴コンテンツを音楽再生デバイスで再生し、あるいは、エラーメッセージを受信した場合には、そのエラーメッセージを表示部に表示する。したがって、試聴するコンテンツを近距離無線通信により、携帯端末に配信するため、音楽コンテンツを販売するすべての店舗において、購入者が無料で音楽コンテンツを試聴できる。また、携帯電話などの公衆電波が受信できない地下などの店舗においても利用できる。さらに、エラーメッセージが表示された場合には、その旨の通知により、ユーザは、他のコンテンツを素早く検索することができる。
【００２６】
（９）本発明は、（８）のプログラムについて、さらに、試聴後に、試聴コンテンツを購入するか否かを表示し、ユーザが購入を選択した場合に、ユーザ端末と近距離無線通信装置間で決済処理を実行する第６のステップ（例えば、図４のステップＳ１０６、Ｓ１０７に相当）を備えたことを特徴とするプログラムを提案している。
【００２７】
この発明によれば、試聴後に、試聴コンテンツを購入するか否かを表示し、ユーザが購入を選択した場合に、ユーザ端末と近距離無線通信装置間で決済処理を実行する。したがって、試聴の結果、ユーザが購入を希望する場合には、簡単に、決済処理を行うことができる。
【発明の効果】
【００２８】
本発明によれば、試聴するコンテンツを近距離無線通信により、携帯端末に配信するため、音楽コンテンツを販売するすべての店舗において、購入者が無料で音楽コンテンツを試聴できるという効果がある。また、試聴の結果、ユーザが購入を希望する場合には、簡単に、決済処理を行うことができるという効果がある。また、携帯電話などの公衆電波が受信できない地下などの店舗においても利用できる。
【発明を実施するための最良の形態】
【００２９】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００３０】
＜第１の実施形態＞
図１から図４を用いて、本発明の第１の実施形態について説明する。
本実施形態に係るコンテンツ試聴システムは、図１に示すように、携帯端末１と、近距離無線通信装置２と、近距離無線通信装置２とネットワーク４を介して接続されたコンテンツサーバ３とから構成されている。ここで、音楽コンテンツを蓄積するコンテンツサーバ３及び、そのコンテンツサーバに接続された近距離無線通信装置２は、音楽コンテンツを扱う店舗に設置されている。
【００３１】
＜携帯端末の構成＞
本実施形態に係る携帯端末１は、図２に示すように、入力部１１と、近距離無線通信部１２と、表示部１３と、音楽再生部１４とから構成されている。
【００３２】
入力部１１は、ユーザからの試聴希望コンテンツに関する情報やコンテンツの選択情報等を入力する。近距離無線通信部１２は、入力された試聴希望コンテンツに関する情報を近距離無線通信装置へ送信する。また、近距離無線通信装置から、試聴希望コンテンツを受信する。なお、代表的な例としては、ＦｅｌｉＣａ（登録商標）チップで考えられ、店舗の近距離無線通信装置２と通信して、店舗側への試聴コンテンツの要求及び、店舗側からの試聴コンテンツの受信を行う。
【００３３】
表示部１３は、ユーザの操作により、いくつかの試聴希望コンテンツを表示したり、試聴希望コンテンツのジャケット画像を表示したり、試聴希望コンテンツがコンテンツサーバ３にない場合に、エラーメッセージを表示する。音楽再生部１４は、取得した試聴コンテンツの再生を行い、例えば、スピーカやイヤホーン等も含まれる。
【００３４】
＜コンテンツサーバの構成＞
本実施形態に係るコンテンツサーバは、図３に示すように、通信制御部２１と、コンテンツ検索部２２と、コンテンツストレージ２３とから構成されている。
【００３５】
通信制御部２１は、近距離無線通信装置２との間で、試聴希望コンテンツに関する情報やコンテンツデータ等のやりとりを行う。また、試聴希望コンテンツがコンテンツストレージ２３にない場合に、エラーメッセージを作成して、近距離無線通信装置２に送信する。
【００３６】
コンテンツ検索部２２は、通信制御部２１が、近距離無線通信装置２から受信した試聴希望コンテンツに関する情報に基づいて、コンテンツストレージ２３を検索し、その結果を通信制御部２１に通知する。コンテンツストレージ２３は、ユーザに配信する音楽コンテンツデータを格納する記憶装置である。試聴時には、サビなどの楽曲の一部分のみを切り出した試聴用のデータを用意して用いても良いし、一曲分の楽曲データを用いて試聴させてもよい。
【００３７】
＜近距離無線通信装置＞
近距離無線通信装置２は、コンテンツサーバ３と接続されており、携帯端末１からの試聴要求を受け取って、コンテンツサーバ３へ送信するとともに、コンテンツサーバ３からの試聴データを受け取って携帯端末１へ送信する。なお、近距離無線通信方式としては、例えば、ＦｅｌｉＣａ（登録商標）などの非接触ＩＣ通信やＢｌｕｅｔｏｏｔｈ（登録商標）などを用いてもよい。なお、代表的な例としては、ＦｅｌｉＣａ（登録商標）リーダライタであり、携帯端末１の近距離無線通信部１２と非接触通信を行って、前述のデータの送受信を行う。また、携帯端末１からの要求に応じて、店舗のコンテンツサーバ３と通信を行って試聴コンテンツを取得し、携帯端末１へ試聴コンテンツを送信する。
【００３８】
＜コンテンツ試聴システムの処理＞
次に、図４を用いて、本実施形態に係るコンテンツ試聴システムの処理について説明する。
【００３９】
まず、利用者は、携帯端末１の試聴プログラムを起動し、試聴したいコンテンツを指定する。指定の方法としては、例えば、店舗の商品陳列棚に識別コードを記載しておき、その識別コードを入力するようしてもよい。このようにすれば、検索システムなどを構築する必要がない。試聴プログラムは利用者が指定したコンテンツの識別情報（例えば、上記識別コード）を、近距離無線通信部１２を介して近距離無線通信装置２に送信する（ステップＳ１０１）。
【００４０】
近距離無線通信装置２は、携帯端末１からコンテンツの識別情報を受け取ると、コンテンツサーバ３にコンテンツの識別情報を送信する（ステップＳ１０２）。
【００４１】
コンテンツサーバ３の通信制御部２１は、コンテンツの識別情報を受け取ると、配信制御プログラムにコンテンツ識別情報を渡す。配信制御プログラムは、コンテンツ識別情報を受け取ると、コンテンツストレージ２３から該当コンテンツの試聴コンテンツを検索し、存在すればその試聴コンテンツを、存在しなければその旨を伝えるエラーメッセージを、通信制御部２１を介して近距離無線通信装置２に送信する（ステップＳ１０３）。
【００４２】
近距離無線通信装置２は、コンテンツサーバ３から試聴コンテンツもしくはエラーメッセージを受け取ると、携帯端末１の近距離無線通信部１２へ、その試聴コンテンツもしくはエラーメッセージを送信する（ステップＳ１０４）。
【００４３】
携帯端末１の近距離無線通信部１２は、試聴コンテンツもしくはエラーメッセージを受信すると、試聴プログラムへ渡す。試聴プログラムは、試聴コンテンツを受信できれば、音楽再生部１４で再生する。試聴コンテンツが見つからずエラーメッセージを受信した場合には、そのエラーメッセージを携帯端末の表示部１３に表示する（ステップＳ１０５）。
【００４４】
ここで、試聴コンテンツをいつでも携帯端末で再生できるようにすると、著作権上の問題が生じる恐れがあるため、試聴コンテンツには何らかの制限をかけることが望ましい。制限の方法としては、例えば、コンテンツサーバ３から試聴コンテンツを送信する際に、再生回数や再生可能期間を設定して、試聴プログラムでその制限を越えていないと判断した場合のみ再生するようにしてもよい。または、コンテンツサーバ３からストリーミングで試聴データを送信し続けることにより、携帯端末が近距離無線通信装置２と通信可能な状態を保っている間だけ再生できるようにしてもよい。
【００４５】
以上、説明したように、本実施形態によれば、試聴するコンテンツを近距離無線通信により、携帯端末に配信するため、音楽コンテンツを販売するすべての店舗において、購入者が無料で音楽コンテンツを試聴できる。また、エラーメッセージが表示された場合には、その旨の通知により、ユーザは、他のコンテンツを素早く検索することができる。さらに、携帯電話などの公衆電波が受信できない地下などの店舗においても利用できる。
【００４６】
＜第２の実施形態＞
図５から図７を用いて、本発明に係る第２の実施形態について説明する。
本実施形態に係るコンテンツ試聴システムは、第１の実施形態に対し、さらに、課金サーバ５が追加され、近距離無線通信装置２が、携帯端末１との間で、決済処理をも実行するものである。
【００４７】
具体的には、試聴後に、ＦｅｌｉＣａ（登録商標）による決済を用いて、簡単に、コンテンツを購入させる。例えば、図６に示すように、試聴が終わった後に、試聴プログラムから購入するかどうかを選択するメッセージを携帯端末１の表示部１３に表示し（図６（ａ）参照）、ユーザが購入を選択した場合、近距離無線通信部１２と近距離無線通信装置２との間で決済処理を行う（図６（ｂ）参照）。
【００４８】
そして、近距離無線通信装置２からコンテンツサーバ３にコンテンツの送信要求を行い、コンテンツサーバ３から近距離無線通信装置２を介して、携帯端末１にコンテンツを送信する（図６（ｃ）、（ｄ）参照）。このとき、近距離無線通信装置２の上に携帯端末１を置くことができる形状にしておけば、ユーザは、携帯端末１を近距離無線通信装置２に置いたまま一度、携帯端末１のキーを押すだけで、簡単に、決済及びコンテンツの取得を行うことができる。
【００４９】
＜コンテンツ試聴システムの処理＞
次に、図７を用いて、本実施形態に係るコンテンツ試聴システムの処理について説明する。
【００５０】
まず、利用者は、携帯端末１の試聴プログラムを起動し、試聴したいコンテンツを指定する。指定の方法としては、例えば、店舗の商品陳列棚に識別コードを記載しておき、その識別コードを入力するようしてもよい。このようにすれば、検索システムなどを構築する必要がない。試聴プログラムは利用者が指定したコンテンツの識別情報（例えば、上記識別コード）を、近距離無線通信部１２を介して近距離無線通信装置２に送信する（ステップＳ２０１）。
【００５１】
近距離無線通信装置２は、携帯端末１からコンテンツの識別情報を受け取ると、コンテンツサーバ３にコンテンツの識別情報を送信する（ステップＳ２０２）。
【００５２】
コンテンツサーバ３の通信制御部２１は、コンテンツの識別情報を受け取ると、コンテンツ検索部２２にコンテンツ識別情報を渡す。コンテンツ検索部２２は、コンテンツ識別情報を受け取ると、コンテンツストレージ２３から該当コンテンツの試聴コンテンツを検索し、存在すればその試聴コンテンツを、存在しなければその旨を伝えるエラーメッセージを、通信制御部２１を介して近距離無線通信装置２に送信する（ステップＳ２０３）。
【００５３】
近距離無線通信装置２は、コンテンツサーバ３から試聴コンテンツもしくはエラーメッセージを受け取ると、携帯端末１の近距離無線通信部１２へ、その試聴コンテンツもしくはエラーメッセージを送信する（ステップＳ２０４）。
【００５４】
携帯端末１の近距離無線通信部１２は、試聴コンテンツもしくはエラーメッセージを受信すると、試聴プログラムへ渡す。試聴プログラムは、試聴コンテンツを受信できれば、音楽再生部１４で再生する。試聴コンテンツが見つからずエラーメッセージを受信した場合には、そのエラーメッセージを携帯端末の表示部１３に表示する（ステップＳ２０５）。
【００５５】
ここで、コンテンツの試聴が終了すると、今、試聴した音楽コンテンツを購入するかどうかを選択するメッセージを携帯端末１の表示部１３に表示し、ユーザが購入を選択した場合（ステップＳ２０６の「Ｙｅｓ」）、近距離無線通信部１２と近距離無線通信装置２との間で決済処理を行うとともに、近距離無線通信装置２が課金サーバ５に課金情報をネットワークを介して、送信する。一方、ユーザが購入を選択しない場合（ステップＳ２０６の「Ｎｏ」）、そのまま処理を終了する（ステップＳ２０７）。
【００５６】
そして、近距離無線通信装置２からコンテンツサーバ３にコンテンツの送信要求を行い、コンテンツサーバ３から近距離無線通信装置２を介して、携帯端末１にコンテンツを送信する。
【００５７】
以上、説明したように、本実施形態によれば、試聴するコンテンツを近距離無線通信により、携帯端末に配信するため、音楽コンテンツを販売するすべての店舗において、購入者が無料で音楽コンテンツを試聴でき、試聴したコンテンツの購入を希望する場合には、その場で、簡単に、購入処理を行うことができる。さらに、携帯電話などの公衆電波が受信できない地下などの店舗においても利用できる。
【００５８】
なお、これらプログラムをコンピュータ読み取り可能な記録媒体に記録し、この記録媒体に記録されたプログラムを携帯端末、近距離無線通信装置、コンテンツサーバ、課金サーバのそれぞれ（いずれもコンピュータシステム）に読み込ませ、実行することによって本発明のコンテンツ試聴システムを実現することができる。ここでいうコンピュータシステムとは、ＯＳや周辺装置等のハードウェアを含む。
【００５９】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００６０】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００６１】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００６２】
【図１】第１の実施形態に係るコンテンツ試聴システムの構成図である。
【図２】第１の実施形態に係る携帯端末の構成図である。
【図３】第１の実施形態に係るコンテンツサーバの構成図である。
【図４】第１の実施形態に係るコンテンツ試聴システムの処理フローである。
【図５】第２の実施形態に係るコンテンツ試聴システムの構成図である。
【図６】第２の実施形態における決済処理およびコンテンツのダウンロードの様子を例示した図である。
【図７】第２の実施形態に係るコンテンツ試聴システムの処理フローである。
【符号の説明】
【００６３】
１・・・携帯端末
２・・・近距離無線通信装置
３・・・コンテンツサーバ
４・・・ネットワーク
５・・・課金サーバ
１１・・・入力部
１２・・・近距離無線通信部
１３・・・表示部
１４・・・音楽再生部
２１・・・通信制御部
２２・・・コンテンツ検索部
２３・・・コンテンツストレージ
【図１】
2009207070.tif 000003
【図２】
2009207070.tif 000004
【図３】
2009207070.tif 000005
【図４】
2009207070.tif 000006
【図５】
2009207070.tif 000007
【図６】
2009207070.tif 000008
【図７】
2009207070.tif 000009